(57)【要約】【課題】  電源のＯＮ及びＯＦＦが切り替えられたとしても、記憶対象情報を継続して記憶することのできる作業機器用の動作制御装置を提供する。【解決手段】  操作対象体２２の位置に応じて異なる位置検出信号を出力する位置検出手段２７と、操作対象体２２を目標位置に位置変更操作するようにアクチュエータ１９の作動を制御する制御手段Ｈとが設けられている作業機器用の動作制御装置であって、記憶対象情報とその記憶対象情報に対応付けた操作対象体２２の記憶用位置との関係情報を記憶する情報記憶手段Ｍが設けられ、制御手段Ｈが、電源をオンからオフへ移行させる前に、関係情報に基づいて記憶用位置に操作対象体２２を移動させる処理を実行し、且つ電源をオフからオンへ移行させるときに、位置検出手段２７により出力される操作対象体２２の位置検出信号及び関係情報に基づいて記憶対象情報を読み出す処理を実行する。【選択図】  なし【特許請求の範囲】
【請求項１】
アクチュエータにより位置変更操作される操作対象体の位置に応じて異なる位置検出信号を出力する位置検出手段と、
その位置検出手段の位置検出信号に基づいて、前記操作対象体を目標位置に位置変更操作するように前記アクチュエータの作動を制御する制御手段とが設けられている作業機器用の動作制御装置であって、
記憶すべき記憶対象情報とその記憶対象情報に対応付けた前記操作対象体の記憶用位置との関係情報を記憶する情報記憶手段が設けられ、
前記制御手段が、
電源をオンからオフへ移行させる前に、前記情報記憶手段の前記関係情報に基づいて、前記記憶用位置に前記操作対象体を移動させる移動処理を実行し、且つ
前記電源をオフからオンへ移行させるときに、前記位置検出手段により出力される前記操作対象体の位置検出信号、及び、前記情報記憶手段の前記関係情報に基づいて、前記記憶対象情報を読み出す読み出し処理を実行するように構成されている作業機器用の動作制御装置。
【請求項２】
アクチュエータにより位置変更操作される操作対象体の位置に応じて異なる位置検出信号を出力する位置検出手段と、
その位置検出手段の位置検出信号に基づいて、前記操作対象体を目標位置に位置変更操作するように前記アクチュエータの作動を制御する制御手段とが設けられている作業機器用の動作制御装置であって、
記憶すべき記憶対象情報とその記憶情報に対応付けた、前記操作対象体の基準位置から記憶情報読出用位置が検出されるまでの記憶用変位量との関係情報を記憶する情報記憶手段が設けられ、
前記制御手段が、
電源をオンからオフへ移行させる前に、前記情報記憶手段の前記関係情報に基づいて、前記基準位置に前記操作対象体を移動させる移動処理を実行し、且つ
前記電源をオフからオンへ移行させるときに、前記操作対象体を現在の位置から前記位置検出手段により前記記憶情報読出用位置が検出されるまで位置変更させ、そのときの変位量、及び、前記情報記憶手段の前記関係情報に基づいて、前記記憶対象情報を読み出す読み出し処理を実行するように構成されている作業機器用の動作制御装置。
【請求項３】
前記操作対象体が、前記アクチュエータにより位置変更操作されることによってバルブ開度が変更されるバルブであり、
そのバルブにおけるバルブ開度の内の１つのバルブ開度が、前記記憶用位置としての複数の位置において現出されるように構成されている請求項１に記載の作業機器用の動作制御装置。
【請求項４】
前記複数の位置にて現出される１つのバルブ開度が、閉止状態である請求項３に記載の作業機器用の動作制御装置。
【請求項５】
前記操作対象体が、前記アクチュエータにより位置変更操作されることによってバルブ開度が変更されるバルブであり、
前記基準位置は前記バルブが閉止状態となる位置である請求項２に記載の作業機器用の動作制御装置。
【請求項６】
前記バルブがガス調理器に備えさせた燃焼機器用バーナーのガス量調整用バルブである請求項３〜５のいずれか１項に記載の作業機器用の動作制御装置。
【請求項７】
前記記憶対象情報が、前記燃焼機器用バーナーのチャイルドロックがオン状態であるか又はオフ状態であるかを表す情報である請求項６に記載の作業機器用の動作制御装置。
【発明の詳細な説明】
【技術分野】
【０００１】
本発明は、アクチュエータにより位置変更操作される操作対象体の位置に応じて異なる位置検出信号を出力する位置検出手段と、その位置検出手段の位置検出信号に基づいて、操作対象体を目標位置に位置変更操作するようにアクチュエータの作動を制御する制御手段とが設けられている作業機器用の動作制御装置に関する。
【背景技術】
【０００２】
かかる作業機器用の動作制御装置は、例えば作業機器としてのガス調理器において、操作対象体としてのガス量調整用バルブ、つまり燃焼機器用のガス量調整用バルブをアクチュエータとしてのステッピングモータにて位置変更操作する、換言すればガス量調整用バルブの開度を変更して燃焼量を調整するものであって、使用者によって指令される目標位置（目標開度）にガス量調整用バルブを操作する等、種々の条件にて設定される目標位置（目標開度）にガス量調整用バルブを操作するのに用いられることになる。その他、作業機器としての給湯器やファンヒータ等においても、それが装備した種々の操作対象体をアクチュエータにて位置変更操作するのに用いられることになる。
【０００３】
ところで、かかる作業機器において、電源が使用のときにオンされ、不使用のときにオフされる形式のものがあり、そして、電源がオフされたときにおいても、記憶させ続けたい記憶対象情報が存在することがある。同様に、不使用のときに電源がオフされない形式のものもあるが、停電により電源がオフされたときにおいても、記憶させ続けておきたい記憶対象情報が存在することがある。
【０００４】
例えば、給湯器においては、使用者によって指令された目標給湯温度を記憶させておき、給湯開始が指令されたときには記憶している目標給湯温度で給湯することが行われるが、停電により電源がオフされたときに目標給湯温度を記憶させ続けるようにすれば、電源が復旧して給湯を開始する際に、以前に設定された目標給湯温度にて給湯できるものとなるのであり、これを実現するために従来では、目標給湯温度を不揮発性の半導体メモリに記憶し、電源がオフされたとしても、次回の給湯時には記憶された目標給湯温度を用いて給湯するように構成されていた（例えば、特許文献１参照）。
【０００５】
このように、作業機器においては電源がオフされたときにも記憶させ続けておきたい記憶対象情報が存在するものであり、そして、このような記憶対象情報を不揮発性の半導体メモリに記憶させるようになっていた。
【０００６】
【特許文献１】特開平９−１５９２７３号公報
【発明の開示】
【発明が解決しようとする課題】
【０００７】
上述の如く、電源がオフされたときにも記憶させ続けておきたい記憶対象情報を不揮発性の半導体メモリを使用して記憶させるようにすると、不揮発性の半導体メモリは高価であることから、作業機器の低廉化を図り難いという問題がある。
【０００８】
本発明は、上記の課題に鑑みてなされたものであり、その目的は、電源がオフされたときに記憶対象情報を継続して記憶することを安価に行える作業機器用の動作制御装置を提供する点にある。
【課題を解決するための手段】
【０００９】
上記目的を達成するための本発明に係る作業機器用の動作制御装置の第１特徴構成は、アクチュエータにより位置変更操作される操作対象体の位置に応じて異なる位置検出信号を出力する位置検出手段と、その位置検出手段の位置検出信号に基づいて、前記操作対象体を目標位置に位置変更操作するように前記アクチュエータの作動を制御する制御手段とが設けられている作業機器用の動作制御装置であって、記憶すべき記憶対象情報とその記憶対象情報に対応付けた前記操作対象体の記憶用位置との関係情報を記憶する情報記憶手段が設けられ、前記制御手段が、電源をオンからオフへ移行させる前に、前記情報記憶手段の前記関係情報に基づいて、前記記憶用位置に前記操作対象体を移動させる移動処理を実行し、且つ前記電源をオフからオンへ移行させるときに、前記位置検出手段により出力される前記操作対象体の位置検出信号、及び、前記情報記憶手段の前記関係情報に基づいて、前記記憶対象情報を読み出す読み出し処理を実行するように構成されている点にある。
【００１０】
上記第１特徴構成によれば、制御手段が、電源をオンからオフへ移行させる前に、情報記憶手段の関係情報に基づいて、記憶用位置に操作対象体を移動させる移動処理を実行して、操作対象体の位置に対応する記憶対象情報を記憶させ、且つ、電源をオフからオンへ移行させるときに、位置検出手段により出力される操作対象体の位置検出信号、及び情報記憶手段の関係情報に基づいて、記憶対象情報を読み出す読み出し処理を実行することにより、電源がオフされたときにも記憶対象情報を継続して記憶させることができるものとなる。
そして、操作対象体を位置変更させるために備えさせてある構成を利用して、記憶対象情報を継続して記憶させるものであるから、安価に記憶対象情報を記憶させることができるのであり、もって、作業機器の低廉化を図りながら記憶対象情報を記憶させることが可能となる作業機器用の動作制御装置を提供することができる。
【００１１】
上記課題を解決するための本発明に係る作業機器用の動作制御装置の第２特徴構成は、アクチュエータにより位置変更操作される操作対象体の位置に応じて異なる位置検出信号を出力する位置検出手段と、
その位置検出手段の位置検出信号に基づいて、前記操作対象体を目標位置に位置変更操作するように前記アクチュエータの作動を制御する制御手段とが設けられている作業機器用の動作制御装置であって、記憶すべき記憶対象情報とその記憶情報に対応付けた、前記操作対象体の基準位置から記憶情報読出用位置が検出されるまでの記憶用変位量との関係情報を記憶する情報記憶手段が設けられ、前記制御手段が、電源をオンからオフへ移行させる前に、前記情報記憶手段の前記関係情報に基づいて、前記基準位置に前記操作対象体を移動させる移動処理を実行し、且つ前記電源をオフからオンへ移行させるときに、前記操作対象体を現在の位置から前記位置検出手段により前記記憶情報読出用位置が検出されるまで位置変更させ、そのときの変位量、及び、前記情報記憶手段の前記関係情報に基づいて、前記記憶対象情報を読み出す読み出し処理を実行するように構成されている点にある。
【００１２】
上記第２特徴構成によれば、制御手段が、電源をオンからオフに移行させる前に、情報記憶手段の関係情報に基づいて、基準位置に操作対象体を移動させる移動処理を実行して、操作対象体の記憶情報読出用位置からの変位量に対応する記憶対象情報を記憶させ、且つ、電源をオフからオンへ移行させるときに、操作対象体を現在の位置から位置検出手段により記憶情報読出用位置が検出されるまで位置変更させ、そのときの変位量、及び情報記憶手段の関係情報に基づいて、記憶対象情報を読み出す読み出し処理を実行することにより、電源がオフにされたときにも記憶対象情報を継続して記憶させることができるものとなる。
そして、操作対象体を位置変更させるために備えさせてある構成を利用して、記憶対象情報を継続して記憶させるものであるから、安価に記憶対象情報を記憶させることができるものであり、もって、作業機器の低廉化を図りながら記憶対象情報を記憶させることが可能となる作業機器用の動作制御装置を提供することができる。
【００１３】
本発明に係る作業機器用の動作制御装置の第３特徴構成は、上記第１特徴構成に加えて、前記操作対象体が、前記アクチュエータにより位置変更操作されることによってバルブ開度が変更されるバルブであり、そのバルブにおけるバルブ開度の内の１つのバルブ開度が、前記記憶用位置としての複数の位置において現出されるように構成されている点にある。
【００１４】
上記第３特徴構成によれば、バルブの位置変更操作を行ったとしても、１つのバルブ開度がバルブの記憶用位置としての複数の位置において現出するように構成されているので、バルブ開度には差が無い状態、つまり作業機器の機能的には差が無い状態で複数の情報を記憶させることができる。
【００１５】
本発明に係る作業機器用の動作制御装置の第４特徴構成は、上記第３特徴構成に加えて、前記複数の位置にて現出される１つのバルブ開度が、閉止状態である点にある。
【００１６】
上記第４特徴構成によれば、バルブの閉止状態は、言わば、作業機器の機能が停止している状態であるので、その作業機器の機能停止状態で情報の書き込み及び読み出しを行うことができる。従って、作業機器が機能しない安全な状態で情報の書き込み及び読み出しが行われることが確保される。
【００１７】
本発明に係る作業機器用の動作制御装置の第５特徴構成は、上記第２特徴構成に加えて、前記操作対象体が、前記アクチュエータにより位置変更操作されることによってバルブ開度が変更されるバルブであり、前記基準位置は前記バルブが閉止状態となる位置である点にある。
【００１８】
上記第５特徴構成によれば、バルブの閉止状態は、言わば、作業機器の機能が停止している状態であるので、その作業機器の機能停止状態を基準として情報の書き込み及び読み出しを行うことができる。従って、作業機器が機能しない安全な状態で情報の書き込み及び読み出しが行われることが確保される。
【００１９】
上記課題を解決するための本発明に係る作業機器用の動作制御装置の第６特徴構成は、前記バルブがガス調理器に備えさせた燃焼機器用バーナーのガス量調整用バルブである点にある。
【００２０】
上記第６特徴構成によれば、燃焼機器用バーナーのガス量調整用バルブを用いて情報の書き込みと読み出しとが行われるので、前回使用時の調理メニューの設定値などが電源をオフにしてもリセットされずに継続的に記憶されるので使い勝手の良いガス量調整用バルブを提供することができる。
【００２１】
本発明に係る作業機器用の動作制御装置の第７特徴構成は、前記記憶対象情報が、前記燃焼機器用バーナーのチャイルドロックがオン状態であるか又はオフ状態であるかを表す情報である点にある。
【００２２】
上記第７特徴構成によれば、電源がオフされた場合にリセットされては困るチャイルドロックが電源をオフにしてもリセットされずに継続的に記憶されるので、安全なガス調理器の動作制御装置を提供することができる。
【発明を実施するための最良の形態】
【００２３】
＜第１実施形態＞
図１及び図２に示すように、作業機器の一例であるガス調理器としてのガスコンロは、３つのコンロバーナー１ａ，１ｂ，１ｃ、および、グリルバーナー２を備えるグリル部３を備えたビルトインタイプのガスコンロにて構成されており、３つのコンロバーナー１ａ，１ｂ，１ｃは標準バーナー１ａと、小バーナー１ｂと、高火力バーナー１ｃとによって構成されている。そして、グリル部３の燃焼排ガスを排気するためのグリル排気口４が形成され、トッププレート５にてガスコンロ上面が覆われており、このトッププレート５の上部に、標準バーナー１ａ、小バーナー１ｂ及び高火力バーナー１ｃに対する被加熱物（鍋など）を受け止め支持するための五徳６が載置支持されている。また、ガスコンロ前側面には、標準バーナー１ａ、小バーナー１ｂ及び高火力バーナー１ｃとグリルバーナー２との点火及び消火や火力調節と各種の設定とを指令する手動操作部Ｓが設けられ、マイクロコンピュータを備えて各種の制御を実行するように構成された制御部Ｈ（制御手段の一例）が、その手動操作部Ｓにて指令された運転状態に基づいて、標準バーナー１ａ、小バーナー１ｂ及び高火力バーナー１ｃとグリルバーナー２を制御するように構成されている。つまり、この実施形態では標準バーナー１ａ、小バーナー１ｂ及び高火力バーナー１ｃとグリルバーナー２とが夫々、ガス燃焼式の加熱手段Ｋを構成する。また、ガスコンロ前側面には自動復帰型の押し操作式の電源スイッチ４０も設けられている。
【００２４】
図２に示すように、標準バーナー１ａ、小バーナー１ｂ及び高火力バーナー１ｃの夫々には、点火手段としての点火プラグ７及び着火状態を検出する熱電対８が設けられており、グリルバーナー２は上面バーナー２ａと左右一対の下面バーナー２ｂ，２ｃとを備えた両面バーナーにて構成されて、上面バーナー２ａ及び左右一対の下面バーナー２ｂ，２ｃの夫々にも点火手段としての点火プラグ７及び着火状態を検出するための熱電対８等が備えられている。又、標準バーナー１ａには、五徳６にて載置支持された被加熱物の底面部に接触して、被加熱物の温度を検出する温度センサ１０が設けられている。
【００２５】
前記標準バーナー１ａ、小バーナー１ｂ及び高火力バーナー１ｃとグリルバーナー２とへのガス供給構成について説明すると、元ガス供給路１１には元ガス電磁弁１２が設けられ、この元ガス供給路１１から、標準バーナー用分岐路１３ａ、小バーナー用分岐路１３ｂ、高火力バーナー用分岐路１３ｃ、グリルバーナー用分岐路１３ｄの４系統に分岐しており、グリルバーナー２へのグリルバーナー用分岐路１３ｄは、さらに、上面バーナー用の分岐路と下面バーナー用分岐路とに分岐してそれらの分岐路には夫々、オリフィスｏｆ付きの流路１５と開閉式電磁弁１６を備えたバイパス路１７が設けられている。そして、標準バーナー用分岐路１３ａ、小バーナー用分岐路１３ｂ、高火力バーナー用分岐路１３ｃ、および、グリルバーナー用分岐路１３ｄの夫々には、ステッピングモータ（アクチュエータの一例）の駆動によってガス量を調整して前記各バーナーの加熱量を調整する加熱量調整手段としての流量制御弁１８（ガス量調整用バルブの一例）が備えられている。
【００２６】
この流量制御弁１８は、図３に示すように、駆動源としてのステッピングモータ１９と、このステッピングモータ１９の回転操作をスライド移動操作に変更させるネジ送り式の移動操作機構２０と、ガス通過用の挿通孔２１が形成されたスライド閉子２２（操作対象体の一例）と、複数のガス通過用の調整孔２３を形成した流量調整板２４等を備えて構成されている。そして、前記スライド閉子２２と流量調整板２４とによってガス量を変更可能な流量調整部２５が構成されている。つまり、図３に示すようにガス流路を遮蔽する状態でスライド閉子２２と流量調整板２４とがバネ２６によって圧接される状態で相対的にスライド自在に設けられ、ステッピングモータ１９を駆動することでスライド閉子２２をスライド移動させながら、図４に示すように、スライド閉子２２に形成された挿通孔２１が流量調整板２４の調整孔２３と重なり合う面積合計を変更させることで、ガス供給量を変更調整自在な構成となっている。尚、前記スライド閉子２２のスライド移動量はスライド移動検出センサ２７（位置検出手段の一例）によって検出される構成となっている。
【００２７】
次に、図５から図８を参照して前記手動操作部Ｓの構成について説明する。ガスコンロ前側面には、手動操作部Ｓとして、標準バーナー１ａ、小バーナー１ｂ及び高火力バーナー１ｃの夫々に対して各別に点火及び消火や火力調節を指令するための３つの加熱状態調節部２８と、調理の設定を指令する設定入力パネル５０と、グリルバーナー２に対して点火及び消火や火力調整を指令するための設定入力パネル６０とが設けられている。これら３つの加熱状態調節部２８は同じ構成であるから、そのうちの標準バーナー１ａに対する加熱状態調節部２８を代表として構成を以下に説明し、他のものについては説明は省略する。ここで、設定入力パネル５０及び設定入力パネル６０は開閉式になっている。
【００２８】
図５及び図６に示すように、加熱開始及び加熱停止を指令する手動式の加熱開始指令手段として押し操作式の点火スイッチ３２がガスコンロの前面パネル２９の内部に設けられ、前面パネル２９に形成した挿通孔３０を通して裏面側から挿通する状態で円筒状の回転操作部３１が設けられている。そして、この回転操作部３１は、その回転軸心方向の移動により、前記点火スイッチ３２を加熱停止を指令する状態に操作する加熱停止用の押し込み位置と、その押し込み位置よりも突出して点火スイッチ３２を加熱開始を指令する状態に操作する加熱用の突出位置とに切り替え自在に構成され、且つ、前記突出位置にて前記燃料供給量を調整すべく回転操作自在に構成されている。
【００２９】
説明を加えると、回転操作部３１は、押し操作される毎に回転軸心方向に移動して、図示しない位置保持機構によって、前面パネル２９とほぼ面一になる押し込み位置と前方に突出する突出位置とに切り替え自在に構成され、回転操作部３１が前記突出位置に切り替えられているときに、正転方向及び逆転方向の夫々にその軸心周りで回動操作可能となるように構成されている。そして、この回転操作部３１が押し込み位置に切り替えられるとそれに伴って点火スイッチ３２がＯＦＦ（オフ）状態となり、回転操作部３１が突出位置に切り替えられるとそれに伴って点火スイッチ３２がＯＮ（オン）状態となるように連動して切り替わる構成となっている。この点火スイッチ３２の切り替え信号は制御部Ｈに入力されており、制御部Ｈはこの点火スイッチ３２がＯＮ状態に切り替わると標準バーナー１ａに対する点火作動を開始し、ＯＦＦ状態に切り替わると標準バーナー１ａの燃焼作動を停止するように構成されている。
【００３０】
又、前記前面パネル２９の内部には、回転操作部３１の回転操作に伴ってパルス信号を出力するパルス発生手段としてのロータリーエンコーダ３３が設けられている。つまり、このロータリーエンコーダ３３の操作軸３４に前記回転操作部３１が一体回動自在に且つ軸心方向での相対移動を許容する状態で接続されている。このロータリーエンコーダ３３は、回転操作部３１の一方向への回転操作に伴って２つのパルス信号のうちの一方のパルス信号が他方のパルス信号より位相が進み、回転操作部３１の他方向への回転操作に伴って前記他方のパルス信号が前記一方のパルス信号より位相が進む状態で、回転操作部３１の回転操作に伴って互いに異なる位相の２つのパルス信号を出力するように構成されている。つまり、このロータリーエンコーダ３３は、２つの出力端子を備えており、その２つの出力端子から上述したような位相の異なるパルス信号が出力される構成である。このようなロータリーエンコーダ３３は周知のものであるから詳細な構成については説明は省略する。前記回転操作部３１、点火スイッチ３２、ロータリーエンコーダ３３によって加熱状態調節部２８が構成され、回転操作部３１とロータリーエンコーダ３３とによって手動操作にて加熱量の増大又は減少を指令する加熱調整量指令手段が構成されている。又、前記点火スイッチ３２によって加熱開始及び加熱停止を指令する手動式の加熱開始指令手段が構成され、この点火スイッチ３２が、押し操作を行う毎にガス燃焼式の加熱手段の加熱開始及び加熱停止を交互に指令する押し操作式のスイッチにて構成されることになる。又、回転操作部の軸心方向への押し移動操作に伴って点火スイッチ３２にて加熱開始及び加熱停止が交互に指令される構成となっている。
【００３１】
図７に示すように、前記前面パネル２９の外面側において前記各回転操作部３１の周囲には加熱量を表示する複数のＬＥＤランプ３５を並べる状態で加熱量を表示する表示手段としての火力表示部３６が設けられている。この火力表示部３６は複数のＬＥＤランプ３５をレベルメータとして用いて回転操作部３１にて設定された火力（加熱量）の大きさをいずれかのＬＥＤランプ３５を点灯させて表示する構成となっている。この実施形態では、火力の大きさが最小火力から最大火力まで、標準バーナー１ａ及び高火力バーナー１ｃでは５段階に変更調整でき、小バーナー１ｃでは３段階に変更調整できる構成となっている。このガスコンロでは、回転操作部３１の単位回転量あたりの火力変化が小さく制御される微調モードと、単位回転量あたりの火力変化が大きく制御される段階切替モードとがあり、それらのモード切替は設定入力パネル５０の「微調」ボタン５１を操作することで行われる。
【００３２】
そして、制御部Ｈは、ロータリーエンコーダ３３にて発生するパルス信号に基づいて、前記燃料供給量を調整するように流量制御弁１８の作動を制御するよう構成されている。つまり、制御部Ｈは、ロータリーエンコーダ３３から出力される前記パルス信号に基づいて、回転操作部３１の回転操作方向並びに回転操作量を判別するとともに、その判別した回転操作方向並びに回転操作量に対応させて標準バーナー１ａの加熱量を調整することになるが、そのとき、ロータリーエンコーダ３３から出力される２つのパルス信号のデータを予め定めた設定単位時間毎に繰り返し読み込み、その読み込まれた前記２つのパルス信号のデータにおけるデータパターンに基づいて、回転操作部３１の回転操作方向並びに回転操作量を判別するように構成されている。
【００３３】
又、このガスコンロには報知音を発生する報知作動を行う報知手段としてのブザー３７が備えられており、制御部Ｈは、点火スイッチ３２にて加熱開始が指令されてから点火プラグが点火作動を開始するまでの間報知作動させるようにブザー３７の作動を制御するように構成され、又、流量制御弁１８が調整可能範囲の最大加熱量に調整されているときに回転操作部の回転操作によって加熱量の増大が指令される過大操作条件が成立したとき、及び、流量制御弁１８が調整可能範囲の最小加熱量に調整されているときに回転操作部の回転操作によって加熱量の減少が指令される過小操作条件が成立したときに、報知作動させるようにブザー３７の作動を制御するよう構成されている。
【００３４】
次に、図８（イ）及び図８（ロ）を参照してガスコンロ前側面に設けられた設定入力パネル５０と設定入力パネル６０とについて説明する。
図８（イ）に示す設定入力パネル５０では、標準バーナー１ａ、小バーナー１ｂ及び高火力バーナー１ｃの夫々の回転操作部３１による火力調整を微調モードに設定するか又は段階切替モードに設定するかの設定入力とチャイルドロックのＯＮ又はＯＦＦの設定入力とを実行することができる。他には「揚げもの」ボタン５５、「炊飯」ボタン５６及び「湯わかし」ボタン５７が押された場合には、それぞれに適した火力で加熱が行われるようにガス量が設定される。例えば、「揚げもの」ボタン５５を繰り返し押すことで油の温度が１６０℃、１８０℃、２００℃の何れかに切り替えられて設定され、温度センサ１０の出力に基づいて自動的に火力を調整し、油の温度を設定温度に維持させるよう動作する。また、「炊飯」ボタン５６を押すことで「ごはん」又は「おかゆ」を調理するモードを設定することができ、温度センサ１０の出力に基づいて自動的に火力を調整し、調理が完了したら自動的に消火するよう動作する。「湯わかし」ボタン５７を押すことで「自動消火」モード又は「５分保温」モードを設定することができ、「自動消火」モードでは、沸騰を検知したらすぐに自動的に消火し、「５分保温」モードでは、沸騰状態で５分間維持して十分にカルキ抜きを行ってから消火するよう動作する。また、タイマー時刻設定ボタン５３、５４を用いてバーナーの燃焼時間を設定して表示部５２に表示させ、それが満了したらバーナーが自動的にＯＦＦにされるように設定することができる。そして、一旦、上述のような設定をした後であっても、「とりけし」ボタン５８を押せば、既に行われている設定が取り消される。
【００３５】
図８（ロ）に示す設定入力パネル６０では、グリルバーナー２の点火及び消火や火力調整を指令するための設定入力が行われる。例えば、操作者が「点火／消火」ボタン６１を押し操作することでグリルバーナー２の点火と消火とが切り替えられ、「火力切替」ボタン６５を押し操作することでグリルバーナー２の火力調整が行われる。また、操作者に「メニュー」ボタン６６の押し操作により姿焼、切身又は干物を選択させ、「焼き加減」ボタン６７の押し操作により強め、標準、弱めの焼き加減を選択させることで、グリル内温度センサの温度及び温度上昇速度などから、グリルバーナー２の最適な火力と加熱時間とが自動的に選択され（残りの加熱時間が表示部６２に表示される）、加熱時間が終了すると自動的にグリルバーナー２の消火が行われるように動作する。また、タイマー時刻設定ボタン６３、６４を用いてバーナーの燃焼時間を設定して表示部６２に表示させ、それが満了したらバーナーが自動的にＯＦＦにされるように設定することもできる。そして、一旦、上述のような設定をした後であっても、「とりけし」ボタン６８を押せば、既に行われている設定が取り消される。
【００３６】
図９に示すのは、ガスコンロの電源スイッチ４０がＯＮにされてガスコンロの使用（各バーナーの燃焼）が行われた後、電源スイッチ４０がＯＦＦにされるまでの一連の制御フローを説明する図である。ここで、電源スイッチ４０は回転操作部３１とは異なる自動復帰型のスイッチであり、電源スイッチ４０のＯＦＦ状態からの押し操作は電源のＯＮ指令と認識し、電源スイッチ４０のＯＮ状態からの押し操作は電源のＯＦＦ指令と認識する。
電源スイッチ４０のＯＮ操作が０．３秒以上継続した場合には（ステップ７０）電力供給が開始されて制御部Ｈへの通電が行われ、制御部Ｈはガスコンロの動作開始制御を行う（ステップ７１）。そして、ガスコンロの動作が開始された後、燃焼制御（ステップ７２）や火力調整の微調モード及び段階切替モードの切替制御を行う微調・段階切替制御（ステップ７３）が行われる。この燃焼制御は各バーナーの点火・消火の制御や火力調整の制御を、操作者による手動操作部Ｓの操作に応じて行うものである。
また、制御部Ｈは、電源スイッチ４０が０．１秒以上ＯＦＦ操作されたか否かを監視しており（ステップ７４）、０．１秒以上ＯＦＦ操作されない間は、ステップ７２の燃焼制御及びステップ７３の微調・段階切替制御を継続する。
他方で、制御部Ｈは、ステップ７４にて電源スイッチ４０が０．１秒以上ＯＦＦ操作されたと判定した場合、ガスコンロの各バーナーが燃焼中であるか否かの判定を行う（ステップ７５）。そして、燃焼中のバーナーが存在する場合には、ステップ７６に移行して全てのバーナーを消火させる全消火制御を行い、ステップ７７に移行する。この全消火制御では、制御部Ｈは、元ガス電磁弁１２を閉弁し、流量制御弁１８をその閉位置に移動させるように制御する。ステップ７５にて燃焼中のバーナーが存在しない場合、つまり、既にバーナーの消火処理制御が正常に行われている場合、及び、ステップ７６にて全消火制御を行った場合には動作停止制御を実行して（ステップ７７）一連の制御フローを終了する。
【００３７】
次に、ガスコンロの動作開始制御（図９のステップ７１）の処理内容について図１０を参照して説明する。
制御部Ｈは、電力供給が開始された後、電源自己保持信号をＯＮにして、その後で操作者が電源スイッチ４０の押し操作を止めたとしても電源のＯＮ状態が保持されて電力供給が継続されることを確保する（ステップ２００）。次にステップ２０２において制御部Ｈは、スライド閉子２２の現在のスライド位置を検出するべく、スライド移動検出センサ２７から出力される位置検出信号のパターンを読み込む。ここで、参照されるスライド閉子２２は標準バーナー１ａ用のスライド閉止２２である。
【００３８】
図１１に示すのはスライド移動検出センサ２７から出力されるスライド閉子２２の位置検出信号のパターンと、スライド閉子２２の位置に応じて変更される火力状態との相関である。火力は閉止位置、弱位置、中弱位置、中位置、中強位置、強位置の５段階で切り替えられている。そして、位置検出信号のパターン中の「Ａ」位置ではトラック１がＯＮ（トラック１と＋ＣＯＭとが導通状態にある）であり、トラック２がＯＮである。そして、この状態はバルブ開度が閉止状態となるようにスライド閉子２２が移動させられたことを示している。「Ｂ」位置ではトラック１がＯＮであり、トラック２がＯＮ又はＯＦＦに切り替わる。そして、この状態はバルブ開度が閉止状態となるようにスライド閉子２２が移動させられたことを示している。「Ｃ」位置ではトラック１がＯＮ又はＯＦＦに切り替わり、トラック２はＯＦＦである。そして、この状態はバルブ開度が閉止状態となるようにスライド閉子２２が移動させられたことを示している。このように、複数存在するバルブ開度の内の１つのバルブ開度（ここでは閉止状態）が、位置検出パターンの「Ｂ」位置及び「Ｃ」位置という複数の位置において現出されるように構成されている。尚、＋ＣＯＭは共用の電源供給パターンである。
【００３９】
読み出し専用メモリ：ＲＯＭなどを用いて実現される情報記憶部Ｍ（情報記憶手段の一例）には、記憶すべき記憶対象情報とその記憶対象情報に対応付けたスライド閉子２２の記憶用位置との関係情報が記憶されている。具体的には、スライド閉子２２の上記位置検出信号のパターンが「Ｂ」の記憶用位置にあるときにはチャイルドロックモードがＯＮであり、スライド閉子２２の上記位置検出信号のパターンが「Ｂ」の記憶用位置にないときにはチャイルドロックモードがＯＦＦであるというような関係情報が記憶されている。
【００４０】
制御部Ｈは、上記のステップ２０２にて位置検出信号のパターンを読み込んだ後、ステップ２０４においてスライド移動検出センサ２７から出力される位置検出信号のパターンに基づいて、スライド閉子２２の位置検出信号のパターンが「Ｂ」位置にあるか否かを判定する。そして、スライド閉子２２の位置検出信号のパターンが「Ｂ」位置にある場合には、ステップ２０６において、上記位置検出信号のパターンの結果（「Ｂ」位置）と情報記憶部Ｍの上記関係情報とに基づいて、電源がＯＦＦにされる以前にチャイルドロックモードがＯＮであったことを読み出して、チャイルドロックモードをＯＮに制御する。他方で、スライド閉子２２の位置検出信号のパターンが「Ｂ」位置にない場合には、ステップ２０８において情報記憶部Ｍの記憶対象情報に基づいて、電源がＯＦＦにされる以前にチャイルドロックモードがＯＦＦであったことを読み出して、チャイルドロックモードをＯＦＦに制御する。このように、前回のガスコンロの動作停止時点でのスライド閉子２２の位置調整により記憶されたチャイルドロックモードのＯＮ又はＯＦＦに関する記憶対象情報が、この動作開始制御において読み出され、前回のガスコンロの動作終了時点でのチャイルドロックモードのＯＮ又はＯＦＦと同じ状態に制御されることになる。
【００４１】
この動作開始制御が行われた後、制御部Ｈは、各バーナーの点火・消火の制御や火力調整の制御を、操作者による手動操作部Ｓの操作に応じて行う燃焼制御（図９のステップ７２）を行う。
【００４２】
次に制御部Ｈの動作を説明する図１２のフローチャートを参照して、「微調」ボタン５１を押し操作して行われる微調モード又は段階切替モードの設定入力と、チャイルドロックのＯＮ又はＯＦＦの設定入力とを含む微調・段階切替制御（図９のステップ７３）について説明する。
【００４３】
まずステップ１００において制御部Ｈは、ガスコンロが微調モードであるか否かを判定し、微調モードで無い場合にはステップ１０２に移行し、微調モードである場合にはステップ１４０に移行する。ステップ１０２では、「微調」ボタン５１がＯＮ操作されたか否かを判定し、「微調」ボタン５１がＯＮ操作されていない場合には、ステップ１１２においてモード設定済みフラグをＯＦＦにし、その結果、モード設定が可能状態となる。ここで、モード設定済みフラグがＯＮのときには既にモード設定済みであるので、モード設定は不可の状態である。
【００４４】
ステップ１０２において「微調」ボタン５１がＯＮ操作されていた場合には、ステップ１０４において制御部Ｈは、標準バーナー１ａが燃焼中であるか否かを判定する。ステップ１０４において標準バーナー１ａが燃焼中であった場合には、ステップ１０６において制御部Ｈは、モード設定済みフラグがＯＮであるか否かを判定する。そして、モード設定済みフラグがＯＮである場合にはこのモード切替処理を終了し、モード設定済みフラグがＯＦＦである場合には新たに微調モードに設定して（ステップ１０８）、モード設定済みフラグをＯＮにする（ステップ１１０）。その結果、モード設定は不可の状態になる。
【００４５】
ステップ１０４において標準バーナー１ａが燃焼中ではなかった場合、制御部Ｈは、高火力バーナー１ｃ及び小バーナー１ｂが燃焼中であるか否かの判定を引き続いて行う。そして、何れかが燃焼中であった場合には、上述したのと同様にステップ１０６、ステップ１０８及びステップ１１０において制御部Ｈは、微調モードに設定して、モード設定済みフラグをＯＮにする。その結果、モード設定は不可の状態になる。
このように、制御部Ｈは、微調モードで無い状態で且つ標準バーナー１ａ、小バーナー１ｂ及び高火力バーナー１ｃの何れかが燃焼中であるときに「微調」ボタン５１が押された場合には、そのボタン操作が微調モードへの切替操作であると判定し、微調モードへの切替を実行している。
【００４６】
ステップ１１６において小バーナー１ｂが燃焼中で無い場合には、ステップ１１８において制御部Ｈは、グリルバーナー２が燃焼中であるか否かの判定を行い、燃焼中である場合にはステップ１０２での「微調」ボタン５１のＯＮが無視されてこのモード切替処理を終了する。他方で、ステップ１１８においてグリルバーナー２が燃焼中で無い場合、即ち標準バーナー１ａ、小バーナー１ｂ及び高火力バーナー１ｃとグリルバーナー２との全てのバーナーの燃焼が行われていない場合には、ステップ１２０において制御部Ｈは、「微調」ボタン５１の押下時間の計時タイマーがスタートされ、「微調」ボタン５１がＯＦＦであるか否かの判定（ステップ１２２）と、押下時間の計時タイマーが３秒を超えるか否かの判定（ステップ１２４）とが行われる。そして、「微調」ボタン５１が３秒を超えて押された場合にはステップ１２４からステップ１２６に移行し、「微調」ボタン５１が３秒を超えて押されなかった場合にはこのモード切替処理を終了する。
このように、制御部Ｈは、微調モードで無い状態で且つ全てのバーナー１ａ、１ｂ、１ｃ、２が燃焼中で無いときに「微調」ボタン５１が３秒を越えて押された場合には、そのボタン操作がチャイルドロックモードの切替操作であると判定し、３秒を超えて押されなかった場合には、そのボタン操作を無視している。
【００４７】
「微調」ボタン５１が３秒を超えて押された場合、ステップ１２６において制御部Ｈは、チャイルドロックモードの切替操作を行うべく、チャイルドロックモードがＯＮか否かの判定を行い、チャイルドロックモードがＯＮである場合にはステップ１２８に移行してチャイルドロックモードをＯＦＦに切り替え、チャイルドロックモードがＯＦＦである場合にはステップ１３０に移行してチャイルドロックモードをＯＮに切り替える。そして、引き続くステップ１３２において押下時間の計時タイマーをリセットして、ステップ１０２において「微調」ボタン５１が押されたことに対応した一連の制御を終了する。
【００４８】
以上のように、「微調」ボタン５１にはチャイルドロックモードの切替と微調・段階切替モードの切替という２つの機能を持たせているため、制御部Ｈは、操作者による「微調」ボタン５１の操作がチャイルドロックモードの切替制御又は微調モードへの切替制御のどちらを指示したものであるのかを判定する処理を行っているのである。
【００４９】
次に、ステップ１００において微調モードであると判定された場合、ステップ１４０において制御部Ｈは、微調モード・段階切替モードのモード切替を行うべく、「微調」ボタン５１がＯＮ操作されたか否かを判定し、「微調」ボタン５１がＯＮ操作されていない場合にはステップ１４６においてモード設定済みフラグをＯＦＦにして、モード設定を可能状態にする。そして制御部Ｈは、標準バーナー１ａ、高火力バーナー１ｃ及び小バーナー１ｂのそれぞれが燃焼中であるか否かの判定をステップ１４８、ステップ１５０及びステップ１５２において行い、それらの何れもが燃焼中でない場合にはステップ１５４に移行して、微調モードから段階切替モードに自動的にモード切替を行う。他方で、標準バーナー１ａ、高火力バーナー１ｃ及び小バーナー１ｂの少なくとも１つが燃焼中である場合には、微調モードを継続して、このモード切替処理を終了する。このように、標準バーナー１ａ、高火力バーナー１ｃ及び小バーナー１ｂの何れかを微調モードで使用しているときにはその微調モードが維持されて、操作者に対して火力の微調整を行わせており、そして、標準バーナー１ａ、高火力バーナー１ｃ及び小バーナー１ｂの何れもが使用されていないときには、段階切替モードへと自動的にモード切替を行って、次に標準バーナー１ａ、高火力バーナー１ｃ及び小バーナー１ｂが使用開始されたときには段階切替モードで火力調整が開始されるようにしている。
【００５０】
また、ステップ１４０において「微調」ボタン５１がＯＮ操作されていた場合には、ステップ１４２に移行して制御部Ｈは、モード設定済みフラグがＯＮであるか否かの判定を行う。そして、モード設定済みフラグがＯＦＦである場合には、モード設定済みフラグをＯＮにして（ステップ１４４）、微調モードから段階切替モードにモード切替を行う（ステップ１５４）。他方で、ステップ１４２においてモード設定済みフラグがＯＮである場合、即ち、「微調」ボタン５１の押し操作に応じて既にモード切替が行われた場合にはこのモード切替処理を終了する。つまり、制御部Ｈは、微調モードである状態で且つ標準バーナー１ａ、小バーナー１ｂ及び高火力バーナー１ｃの何れもが燃焼中で無いときに「微調」ボタン５１が押された場合、及び、微調モードである状態で且つ標準バーナー１ａ、小バーナー１ｂ及び高火力バーナー１ｃの何れかが燃焼中であるときに「微調」ボタン５１が押された場合には、段階切替モードへの切替を行っている。
【００５１】
次に、図１３に示すのは電源スイッチ４０がＯＦＦ操作された場合のガスコンロの動作停止制御（図９のステップ７７）において、制御部Ｈにより行われる記憶対象情報の書き込み処理のフローチャートである。具体的には、上述のようなガスコンロにおいて、電源スイッチ４０をＯＮ状態からＯＦＦ状態に切り替える場合、チャイルドロックモードのＯＮ設定又はＯＦＦ設定を、次回、電源をＯＮ状態にしたときに継続して使用したい場合がある。本発明に係るガスコンロでは、不揮発性の半導体メモリを搭載していないが、電源がＯＦＦ状態にされても、既存の装置を使用して各種の記憶対象情報を記憶することができるように構成されており、ガスコンロの動作停止制御中に行われるその記憶対象情報の書き込み処理について、チャイルドロックモードのＯＮ設定又はＯＦＦ設定を記憶する場合を例に挙げて以下に説明する。
【００５２】
まず、図９のステップ７４において制御部Ｈが、電源スイッチ４０が０．１秒以上ＯＦＦ操作されたことを検出した場合、即座に電源がＯＦＦになるのではなく電源自己保持が行われた状態で電力の供給は継続される。そして、ステップ２２０において制御部Ｈは、チャイルドロックモードがＯＮであるか否かを判定する。チャイルドロックモードがＯＮである場合には、制御部Ｈは、情報記憶部Ｍの上記関係情報に記憶されている記憶対象情報に基づいてチャイルドロックモードがＯＮであることを記憶させるための記憶用位置である位置検出信号のパターンの「Ｂ」位置にスライド閉子２２を移動させる（ステップ２２２）。他方で、チャイルドロックモードがＯＦＦである場合には、情報記憶部Ｍに記憶されている記憶対象情報に基づいてチャイルドロックモードがＯＦＦであることを記憶させるための記憶用位置である位置検出信号のパターンの「Ｃ」位置にスライド閉子２２を移動させる（ステップ２２４）。その後、電源自己保持信号をＯＦＦにし（ステップ２２６）、電源をＯＦＦにさせて、スライド閉子２２の移動処理を終了する。これにより、次にガスコンロの電源がＯＦＦからＯＮにされたときには、図１０を参照して説明した動作開始制御のように位置検出信号に基づき判定されるスライド閉子２２の位置から、ガスコンロの電源がＯＦＦにされる前のチャイルドロックモードの状態についての情報を読み出すことができる。
【００５３】
＜第２実施形態＞
第１実施形態に示したスライド移動検出センサは３つのポート（＋ＣＯＭ、トラック１、トラック２）を利用して、トラック１及びトラック２のＯＮとＯＦＦとを組み合わせることでスライド閉子２２の位置検出信号のパターンの「Ｂ」位置と「Ｃ」位置との位置検出を行っていたが、本実施形態では図１６に示すような２つのポート（＋ＣＯＭ、トラック１）を利用して、スライド閉子２２の位置検出信号のパターンの「Ｂ」位置と「Ｃ」位置との位置検出を行う方式について説明する。ここで、参照されるスライド閉子２２は標準バーナー１ａ用のスライド閉子２２である。
【００５４】
図１４に示すのはガスコンロの動作開始制御（図９のステップ７１）の処理内容であり、具体的には、電源スイッチ４０をＯＮにするときの、制御部Ｈによる記憶対象情報の読み出し処理のフローチャートである。
制御部Ｈは、電源自己保持信号をＯＮにして、電源スイッチ４０がＯＦＦ操作されたとしても電源のＯＮ状態が保持されることを確保する（ステップ３００）。次にステップ３０２において制御部Ｈは、図１６に示すスライド移動検出センサ２７による位置検出信号のパターンを読み込む。
【００５５】
図１６に示すのはスライド移動検出センサ２７から出力されるスライド閉子２２の位置検出信号のパターンと、スライド閉子２２の位置に応じて変更される火力状態との相関である。火力は閉止位置、弱位置、中弱位置、中位置、中強位置、強位置の５段階で切り替えられている。そして、位置検出信号のパターン中の「Ａ」位置及び「Ｂ」位置ではトラック１がＯＮ（トラック１と＋ＣＯＭとが導通状態にある）である。そして、この状態はバルブ開度が閉止状態となるようにスライド閉子２２が移動させられたことを示している。「Ｃ」位置ではトラック１がＯＮ又はＯＦＦに切り替わる。尚、＋ＣＯＭは共用の電源供給パターンである。
【００５６】
読み出し専用メモリ：ＲＯＭなどを用いて実現される情報記憶部Ｍには、記憶すべき記憶対象情報とその記憶情報に対応付けた、スライド閉子２２の基準位置から記憶情報読出用位置が検出されるまでの記憶用変位量との関係情報が記憶されている。具体的には、スライド閉子２２の上記位置検出信号のパターンが、トラック１がＯＦＦとなる記憶情報読出用位置である「Ｃ」位置から記憶用変位量：β１（＞α）だけ離れた位置（バルブが閉止状態となる基準位置の一例）にあるときにはチャイルドロックモードがＯＮであり、スライド閉子２２の上記位置検出信号のパターンが記憶情報読出用位置である「Ｃ」位置から変位量：β２（＜α）だけ離れた位置（バルブが閉止状態となる基準位置の一例）にあるときにはチャイルドロックモードがＯＦＦであるという関係情報が記憶されている。
【００５７】
制御部Ｈは、上記のステップ３０２にて位置検出信号のパターンを読み込んだ後、ステップ３０４において、スライド移動検出センサ２７から出力されるトラック１の信号がＯＮである場合にはステップ３０６に移行し、トラック１の信号がＯＦＦである場合にはステップ３２０に移行する。ステップ３０４においてトラック１の信号がＯＮである場合には、ステップ３０６においてスライド閉子２２をバルブ開度が大きくなる方向に作動させ、ステップ３０８において移動ステップ数：Ｌをカウントしながら、ステップ３１０においてトラック１の信号がＯＦＦになるか否か（「Ｃ」位置にあるか否か）をスライド移動検出センサ２７によって検出する。そして、ステップ３１０においてトラック１の信号がＯＦＦになった場合には、ステップ３１２に移行して現在の位置（基準位置）から「Ｃ」位置（記憶情報読出用位置）が検出されるまでの移動ステップ数（変位量）：Ｌと所定のステップ数：αとを比較し、Ｌ＞αの場合にはステップ３１４に移行し、Ｌ≦αの場合にはステップ３１８に移行する。つまり、スライド閉子２２が停止していた位置の検出が行われており、具体的には「Ｃ」位置とどれだけ近接した位置に停止していたのかが、「Ｃ」位置との間の移動ステップ数（変位量）：Ｌの大小によって検出される。そして、その停止位置にはチャイルドロックモードのＯＮ又はＯＦＦが対応づけて記憶されている。
【００５８】
従って、ステップ３１４に移行したとき（変位量：Ｌ＞α）には、変位量：Ｌと情報記憶部Ｍの上記関係情報とに基づいて、電源がＯＦＦにされる以前にチャイルドロックモードがＯＮであったことを読み出して、ステップ３１４において移動ステップ数：Ｌをクリアした後で、ステップ３１６においてチャイルドロックモードをＯＮに制御する。他方で、ステップ３１８に移行したとき（変位量：Ｌ≦α）には、変位量：Ｌと情報記憶部Ｍの上記関係情報に基づいて、電源がＯＦＦにされる以前にチャイルドロックモードがＯＦＦであったことを読み出して、ステップ３１８において移動ステップ数：Ｌをクリアした後で、ステップ３２０においてチャイルドロックモードをＯＦＦに制御する。このように、前回のガスコンロの動作停止時点でのスライド閉子２２の位置調整により記憶されたチャイルドロックモードのＯＮ又はＯＦＦに関する記憶対象情報が、この動作開始制御において読み出され、前回のガスコンロの動作終了時点でのチャイルドロックモードのＯＮ又はＯＦＦと同じ状態に制御されることになる。
【００５９】
次に、図１５に示すのはガスコンロの動作停止制御（図９のステップ７７）の処理内容であり、具体的には、電源スイッチ４０をＯＦＦにするときの、制御部Ｈによる記憶対象情報の書き込み処理のフローチャートである。
まず、電源スイッチ４０がＯＦＦ操作された場合、即座に電源がＯＦＦになるのではなく電源自己保持が行われた状態で電力の供給は継続される。そして、ステップ３３０においてスライド閉子２２が記憶情報読出用位置である位置検出信号のパターンの「Ｃ」位置にあるか否かが判定され、スライド閉子２２が記憶情報読出用位置である位置検出信号のパターンの「Ｃ」位置にない場合にはステップ３３２に移行して、スライド閉子２２が記憶情報読出用位置である「Ｃ」位置に移動される。これは、上述したように「Ｃ」位置との間の移動ステップ数（変位量）に応じて記憶情報（ここでは、チャイルドロックモードのＯＮ又はＯＦＦ）を記憶させるためである。次に、ステップ３３４においてチャイルドロックモードがＯＮであるか否かが判定される。チャイルドロックモードがＯＮである場合には、ステップ３３６において情報記憶部Ｍに記憶されている記憶対象情報に基づいてチャイルドロックモードがＯＮであることを記憶させるための記憶用変位量：β（＞α）だけ「Ｃ」位置から離れた位置（基準位置の一例）にスライド閉子２２を移動させた後、ステップ３３８において電源自己保持信号をＯＦＦにし、電源をＯＦＦにさせて、スライド閉子２２の移動処理を終了する。
【００６０】
他方で、チャイルドロックモードがＯＦＦである場合にはステップ３３８に移行して、電源自己保持信号をＯＦＦにし、電源をＯＦＦにさせて、スライド閉子２２の移動処理を終了する。或いは、図１４を参照して説明したガスコンロの動作開始制御中において、情報記憶部Ｍに記憶されている記憶対象情報に基づいて、ガスコンロの電源がＯＦＦにされる前にチャイルドロックモードがＯＦＦであったことが読み出されるように、変位量：α（＜β）以下の変位量だけ「Ｃ」位置から離れた位置（基準位置の一例）にスライド閉子２２を移動させる。その後、電源自己保持信号をＯＦＦにし、電源をＯＦＦにさせて、スライド閉子２２の移動処理を終了する。これにより、次にガスコンロの電源がＯＦＦからＯＮにされたときには、図１４を参照して説明した動作開始制御のように位置検出信号に基づき判定されるスライド閉子２２の位置から、ガスコンロの電源がＯＦＦにされる前のチャイルドロックモードの状態についての情報を読み出すことができる。
【００６１】
＜別実施形態＞
＜１＞
上記実施形態では、トラック１及びトラック２という２つのポートを用意し、チャイルドロックがＯＮ状態であるか又はＯＦＦ状態であるかを表す２通りの記憶対象情報を記憶させていたが、更に多数の記憶対象情報を記憶させるように改変することも可能である。例えば、図１７に示すような位置検出信号のパターンを採用した場合には、バルブの閉止位置において８通りの記憶対象情報を記憶させることができる。また、上記実施形態では標準バーナー１ａ用のスライド閉子２２の位置検出信号のパターンのみを参照していたが、このガスコンロには図１から図３に示したように標準バーナー１ａ用、高火力バーナー１ｃ用、小バーナー１ｂ用及びグリルバーナー２用の４つのスライド閉子２２が搭載されていることから、それぞれのスライド閉子２２の位置検出信号のパターンを利用することができる。その結果、８×８×８×８＝４０９６通りの記憶対象情報を記憶させることもでき、或いは、８×８＝６４通りの記憶対象情報を２つ記憶させることもできる。また、これを応用して更に多数の記憶対象情報を記憶させるように改変することもできる。
【００６２】
従って、多数の記憶対象情報を記憶させるように改変することで、コンロタイマー時間の前回の設定値、揚げ物の油の温度設定値などのガスコンロの各種設定値や、ガスコンロに故障が発生した場合には、故障情報を記憶させることもできる。その結果、一旦、ガスコンロの電源をＯＦＦにして、その後にＯＮにしたとしても、揚げ物の油の温度設定値が継続的に記憶されており、更に故障情報が継続的に記憶されている場合には、機器の動作をロックして、故障している機器を動作させないような制御を行うことも可能である。
【００６３】
＜２＞
上記実施形態では、アクチュエータにより位置変更操作される操作対象体の具体例としてガスコンロにおいてステッピングモータにより位置変更操作されるガス量調整用バルブを例示して説明を行ったが、本発明はこれに限定されず、ガス給湯器のガス量調整用バルブや給湯装置の湯温調整装置を構成する水と湯のミキシングバルブなどの他の装置にも適用することができる。
【００６４】
＜３＞
上記実施形態では、電源スイッチ４０がオフされたときに記憶対象情報を記憶させるための処理が行われることについて説明したが、停電などにより、電源スイッチ４０の操作に拘わらず電力の供給が中止されたときにも同様の記憶対象情報の記憶処理が行われる。この場合、停電によって外部からの電力の供給は即座に停止されるのだが、装備されたキャパシタなどに必要な電力を予め蓄えておき、電力の供給が停止されたときにはそのキャパシタに蓄えられている電力を用いてアクチュエータを作動させることで、上述したのと同様の記憶対象情報の記憶処理を行うことができる。
【００６５】
＜４＞
上記実施形態では、図１３及び図１５を参照して、ガスコンロの電源をＯＦＦにするときの動作停止制御において記憶対象情報（例えば、チャイルドロックモードのＯＮ又はＯＦＦ）を記憶させる場合の例について説明したが、電源をＯＮからＯＦＦに移行させる前にこの記憶対象情報を記憶させる制御を行えばよいので、上記動作停止制御とは別のタイミングで上記の記憶対象情報を記憶させる制御を行うような改変も可能である。
【図面の簡単な説明】
【００６６】
【図１】ガスコンロの斜視図
【図２】ガスコンロの概略構成図
【図３】流量制御弁の構成を示す図
【図４】流量調整状態を示す図
【図５】加熱状態調整部の構成を示す側面図
【図６】加熱状態調整部の操作状態を示す図
【図７】火力表示部を示す図
【図８】設定入力パネルの模式図
【図９】ガスコンロの動作制御のフローチャート
【図１０】動作開始制御のフローチャート
【図１１】位置検出信号のパターン
【図１２】微調・段階切替制御のフローチャート
【図１３】動作停止制御のフローチャート
【図１４】動作開始制御のフローチャート
【図１５】動作停止制御のフローチャート
【図１６】位置検出信号のパターン
【図１７】位置検出信号のパターン
【符号の説明】
【００６７】
１９  アクチュエータ（ステッピングモータ）
２２  操作対象体（スライド閉子）
２７  位置検出手段（スライド移動検出センサ）
【図１】
2005083596.tif 000002
【図２】
2005083596.tif 000003
【図３】
2005083596.tif 000004
【図４】
2005083596.tif 000005
【図５】
2005083596.tif 000006
【図６】
2005083596.tif 000007
【図７】
2005083596.tif 000008
【図８】
2005083596.tif 000009
【図９】
2005083596.tif 000010
【図１０】
2005083596.tif 000011
【図１１】
2005083596.tif 000012
【図１２】
2005083596.tif 000013
【図１３】
2005083596.tif 000014
【図１４】
2005083596.tif 000015
【図１５】
2005083596.tif 000016
【図１６】
2005083596.tif 000017
【図１７】
2005083596.tif 000018